(57)【要約】      （修正有）【課題】電力の中断を招くような接続プレートの弾性疲労を避けることができる電子装置を提供する。【解決手段】電子装置２０は、本体２１と、この本体２１に取り外し可能に設置され、コインバッテリーであるバッテリーＣ’を固定する第一アーム２２１と第二アーム２２２とを備えたバッテリーベース２２と、からなる。この場合、電子装置２０のバッテリーベース２２が、第一アーム２２１と第二アーム２２２を用いてバッテリーＣ’を固定するので、本体２１に設置された接続プレート２１１の機能は、単に電圧を伝送することだけになる。【選択図】図２
0003118013.tif 000002
【実用新案登録請求の範囲】
【請求項１】
本体と、
前記本体に取り外し可能に設置され、コインバッテリーを固定する第一アームと第二アームとを備えたバッテリーベースと、からなることを特徴とする電子装置。
【請求項２】
前記バッテリーベースは、前記第一アームと前記第二アームとの間に形成され、前記コインバッテリーの外周に対応する内表面を有することを特徴とする請求項１に記載の電子装置。
【請求項３】
前記バッテリーベースは、前記コインバッテリーを支える前記内表面の頂部端または底部端に配設された支持部を更に備えていることを特徴とする請求項２に記載の電子装置。
【請求項４】
上表面と下表面とを備えた前記コインバッテリーに対して、前記支持部は、前記上表面に接する上支持部材と、前記下表面に接する下支持部材とを有することを特徴とする請求項３に記載の電子装置。
【請求項５】
前記第一アームと前記第二アームの終端にそれぞれフックを形成したことを特徴とする請求項１に記載の電子装置。
【請求項６】
前記バッテリーベースは、前記第一アームと前記第二アームを相互に接続するキャップを更に備えたことを特徴とする請求項１に記載の電子装置。
【請求項７】
前記キャップは、操作部と、前記操作部の一端から延伸する係合部とを備え、
前記操作部の一部は、外力を受けるために、前記キャップの外方に突出していることを特徴とする請求項６に記載の電子装置。
【請求項８】
前記キャップは、前記操作部の別な一端に設置され、前記係合部に復元力を提供する弾性部材を更に備えていることを特徴とする請求項７に記載の電子装置。
【請求項９】
前記弾性部材は、バネからなることを特徴とする請求項８に記載の電子装置。
【請求項１０】
前記本体は、前記係合部に対応して、前記バッテリーベースが前記本体と結合した時、前記係合部を受け入れる切欠きを有することを特徴とする請求項７に記載の電子装置。
【考案の詳細な説明】
【技術分野】
【０００１】
本考案は、電子装置に関し、特に、バッテリーを固定するためのアームを備えたバッテリーベースを有する電子装置に関するものである。
【背景技術】
【０００２】
図１を参照すると、従来の電子装置１０のバッテリーホルダー１１は、１つまたは２つの保持部材１２（図１は２つ有する）と弾性プレート１３とを備えている。保持部材１２は、バッテリーホルダー１１の両側にそれぞれ位置される。コインバッテリーＣは、保持部材１２の間のバッテリーホルダー１１によって受け入れられる。弾性プレート１３は、バッテリーホルダー１１の上に設置される。バッテリーＣが保持部材１２の間に固定された時、弾性プレート１３は、その弾力性によってバッテリーＣを押圧し、しっかりと保持する。よって、バッテリーＣは、簡単に緩むことなく、弾性プレート１３がバッテリーに接続されると、電圧を電子装置１０に伝送する。
【考案の開示】
【考案が解決しようとする課題】
【０００３】
しかし、上記背景技術では、弾性プレート１３の曲率が平坦でない可能性がある。また、時間が経つにつれ、弾性プレート１３に弾性疲労も生じる可能性があり、その場合には、バッテリーＣがバッテリーホルダー１１にしっかりと保持されず、バッテリーＣと弾性プレート１３との間の接続不良を招いて、電圧の伝送が中断される。
【０００４】
そこで本発明は、上記問題点を解決して、電力の中断を招くような接続プレートの弾性疲労を避けることができる電子装置を提供することを、その目的とする。
【課題を解決するための手段】
【０００５】
上記課題を解決するために、本考案は、電子装置を提供する。この電子装置は、本体とバッテリーベースとを含む。バッテリーベースは、取り外し可能となるように本体に設置され、コインバッテリーを固定する第一アームと第二アームとを備えている。
【０００６】
バッテリーベースは、第一アームと第二アームとの間に形成され、コインバッテリーの外周に対応する内表面を有する。
【０００７】
バッテリーベースは、コインバッテリーを支える内表面の頂部端、または底部端に配設された支持部を更に備えることができる。
【０００８】
コインバッテリーは、上表面と下表面とを備えたものでもよい。支持部は、上支持部材と下支持部材とを有してもよい。上支持部材は、コインバッテリーの上表面に接し、下支持部材は、コインバッテリーの下表面に接する。
【０００９】
第一アームと第二アームの終端に、それぞれフックを形成してもよい。
【００１０】
バッテリーベースは、第一アームと第二アームを相互に接続するキャップを更に備えていてもよい。
【００１１】
キャップは、操作部と係合部とを備えていてもよい。係合部は、操作部の一端から延伸する。操作部の一部は、外力を受けるために、前記キャップの外方に突出している。
【００１２】
キャップは、操作部の別な一端に設置され、前記係合部に復元力を提供する弾性部材を更に備えていてもよい。弾性部材は、バネからなる。
【００１３】
本体は、係合部に対応した切欠きを有していてもよい。バッテリーベースが本体と結合した時、係合部が切欠きに入る。
【考案の効果】
【００１４】
本考案では、電子装置のバッテリーベースが、アームを用いてバッテリーを固定する。本体に設置された接続プレートの機能は、単に電圧を伝送することだけである。よって、電力の中断を招くような接続プレートの弾性疲労が避けられる。本考案は、バッテリーキャップをバッテリーベースの中に組み込む。バッテリーベースは、別個のバッテリーキャップを備えたものよりも、容易に取り外すことが可能になる。操作部と係合部は、バッテリーベースを本体内でしっかりと係合する。また、操作部の弾性部材は、係合部をうまく固定する。
【考案を実施するための最良の形態】
【００１５】
本考案についての目的、特徴、長所が一層明確に理解されるよう、以下に実施形態を例示し、図面を参照しながら、詳細に説明する。
【実施例】
【００１６】
図２と図３は、本考案の電子装置２０を表しており、外観と内部構造をそれぞれ示している。電子装置２０は、本体２１とバッテリーベース２２とからなり、バッテリーベース２２は、本体２１に対し取り外し可能に設置される。本体２１は、２つの接続プレート２１１と切欠きＮとを備え、接続プレート２１１は、電圧を伝送する。
【００１７】
図４Ａと図４Ｂは、それぞれ上面と底面を表しているバッテリーベース２２を示している。バッテリーベース２２は、第一アーム２２１と、第二アーム２２２と、キャップ２２３と、内表面２２４と、支持部２２５と、操作部２２６と、係合部２２７と、弾性部材２２８とを有する。係合部２２７は、本体２１の切欠きＮに対応する。
【００１８】
ここで注意すべきは、バッテリーベース２２は、２つのアーム２２１と２２２を有するが、これに限定するものではない、ということである。例えば、３つのアームで２つのバッテリーを固定し、４つのアームで３つのバッテリーを固定するなど、アームの数は必要に応じて変えることができる。
【００１９】
図５Ａと、図５Ｂと、図５Ｃは、バッテリーＣ’を組み込んだバッテリーベース２２を示している。第一アーム２２１と第二アーム２２２は、キャップ２２３の二つの各側にそれぞれ形成され、バッテリーＣ’を固定する。２つのフックＴは、第一アーム２２１と第二アーム２２２の終端に形成される。内表面２２４は、第一アーム２２１と、第二アーム２２２と、キャップ２２３とを連結することによって形成され、バッテリーＣ’の外周に対応して湾曲されている。
【００２０】
再度、図４Ａと図４Ｂを参照すると、支持部２２５は、３つの上支持部材２２５Ａと２つの下支持部材２２５Ｂとを備えている。バッテリーＣ’は、上表面Ｃ’１と下表面Ｃ’２（図５Ａを参照）とを有する。上支持部材２２５Ａは、内表面２２４の頂部端に配設され、下支持部材２２５Ｂは、内表面２２４の底部端に配設される。バッテリーＣ’がバッテリーベース２２内にある時、上支持部材２２５Ａは、バッテリーＣ’の上表面Ｃ’１に接し、下支持部材２２５Ｂは、バッテリーＣ’の下表面Ｃ’２に接する。そのためバッテリーＣ’は、支持部材２２５によって第一アーム２２１と、第二アーム２２２と、キャップ２２３との間に保持される。
【００２１】
ここで注意すべきは、支持部２２５は、３つの上支持部２２５Ａと２つの下支持部材２２５Ｂとを備えているが、これに限定するものではない、ということである。支持部２２５はまた、一乃至複数の上支持部２２５Ａと下支持部材２２５Ｂとを備えることもできる。
【００２２】
操作部２２６がキャップ２２３に設置されているが、その一部は、キャップ２２３から外方に突出している（図２を参照）。係合部２２７は、操作部２２６の一端から延伸する（図４Ｂを参照）。弾性部材２２８はバネであって、これは操作部２２６の別な一端に設置され、キャップ２２３の裏面の停止部２２３Ｓに接する（図４Ｂを参照）。
【００２３】
図５Ａと、図５Ｂと、図５Ｃを参照すると、バッテリーＣ’は、バッテリーベース２２に対して傾斜した方向（図５Ａの方向Ｈ）で、第一アーム２２１と第二アーム２２２の間に保持される。バッテリーベース２２に対する垂直な力（図５Ａの方向Ｙ）がバッテリーＣ’に加わって、第一アーム２２１と第二アーム２２２（図５ＢのＢ）の各フックＴを間接的に開けることで、バッテリーＣ’をバッテリーベース２２に受け入れることができる。また別な方法では、バッテリーＣ’が、図５Ｃに示すように第一アーム２２１と第二アーム２２２に対し平行に、第一アーム２２１と第二アーム２２２の間でＸ方向に保持される。この場合、バッテリーＣ’は、第一アーム２２１と第二アーム２２２（図５Ｃの方向Ｂ’）の各フックＴを直接的に開けることで、バッテリーＣ’をバッテリーベース２２に受け入れることができる。
【００２４】
図６は、バッテリーベース２２を共に結合した電子装置２０の概略図である。バッテリーＣ’がバッテリーベース２２に受け入れられた後、バッテリーＣ’の上表面Ｃ’１と下表面Ｃ’２は、上支持部材２２５Ａと下支持部材２２５Ｂにそれぞれ接し、バッテリーＣ’を固定する。バッテリーベース２２が本体２１に受け入れられた時、係合部２２７は切欠きＮに係合し、弾性部材２２８の弾性力を用いてバッテリーベース２２を固定する。バッテリーＣ’は、同時に接続プレート２１１に接し、電圧を本体２１に伝送する。
【００２５】
バッテリーベース２２と本体２１とを分離するには、操作部２２６に対しＡの方向（図２を参照）で力を加える必要がある。操作部２２６は、本体２１からバッテリーベース２２を容易に取り外すために、係合部２２７を切欠きＮから分離する。
【００２６】
電子装置２０のバッテリーベース２２は、第一アーム２２１と第二アーム２２２を用いてバッテリーＣ’を固定する。本体２１に設置された接続プレート２１１の機能は、単に電圧を伝送することだけである。よって、電力の中断を招くような接続プレート２１１の弾性疲労が避けられる。本考案は、バッテリーキャップをバッテリーベース２２の中に組み込んでいる。バッテリーベース２２は、別個のバッテリーキャップを備えたものよりも、容易に取り外すことが可能になる。操作部２２６と係合部２２７は、バッテリーベース２２を本体２１内でしっかりと係合する。また、操作部２２６の弾性部材２２８は、係合部２２７をうまく固定する。
【００２７】
以上のように、本考案の電子装置２０は、本体２１と、この本体２１に取り外し可能に設置され、コインバッテリーであるバッテリーＣ’を固定する第一アーム２２１と第二アーム２２２とを備えたバッテリーベース２２と、からなる。この場合、電子装置２０のバッテリーベース２２が、第一アーム２２１と第二アーム２２２を用いてバッテリーＣ’を固定するので、本体２１に設置された接続プレート２１１の機能は、単に電圧を伝送することだけになる。よって、電力の中断を招くような接続プレート２１１の弾性疲労が避けられる。
【００２８】
また、本考案のバッテリーベース２２は、第一アーム２２１と前記第二アーム２２２との間に形成され、バッテリーＣ’の外周に対応する内表面２２４を有している。そのため、バッテリーＣ’の外周にバッテリーベース２２の内表面２２４が対応した状態で、第一アーム２２１と第二アーム２２２とによりバッテリーＣ’が固定される。
【００２９】
また、本考案のバッテリーベース２２は、バッテリーＣ’を支える内表面２２４の頂部端または底部端に配設された支持部２２５を更に備えている。これにより、バッテリーベース２２にバッテリーＣ’を組み込んだ状態で、支持部２２５がバッテリーＣ’を支えることが可能になる。
【００３０】
また、本考案では、上表面Ｃ’１と下表面Ｃ’２とを備えたバッテリーＣ’に対して、前記支持部２２５が、上表面Ｃ’１に接する上支持部材２２５Ａと、下表面Ｃ’２に接する下支持部材２２５Ｂとを有する。これにより、バッテリーＣ’の上表面Ｃ’１と下表面Ｃ’２を、上支持部材２２５Ａと下支持部材２２５Ｂとによってそれぞれ支持することができる。
【００３１】
また、本考案では、第一アーム２２１と第二アーム２２２の終端にそれぞれフックＴを形成している。そのため、フックＴを直接的または間接的に開けることで、バッテリーＣ’をバッテリーベース２２に受け入れることができる。
【００３２】
また、本考案のバッテリーベース２２は、第一アーム２２１と第二アーム２２２を相互に接続するキャップ２２３を更に備えている。このように、バッテリーキャップ２２３をバッテリーベース２２の中に組み込んでいると、バッテリーベース２２は、別個のバッテリーキャップを備えた場合よりも、本体２１から容易に取り外すことが可能になる。
【００３３】
また、本考案のキャップ２２３は、操作部２２６と、この操作部２２６の一端から延伸する係合部２２７とを備え、操作部２２６の一部は、外力を受けるために、キャップ２２３の外方に突出している。これにより、操作部２２６と係合部２２７とによって、バッテリーベース２２を本体２１内でしっかりと係合することができる。
【００３４】
また、本考案のキャップ２２３は、操作部２２６の別な一端に設置され、係合部２２７に復元力を提供する弾性部材２２８を更に備えている。このような操作部２２６の弾性部材２２８によって、係合部２２７をうまく本体２１に固定することができる。
【００３５】
また、本考案の弾性部材２２８はバネからなり、こうしたバネによって、係合部２２７をうまく本体２１に固定することができる。
【００３６】
また、本考案の本体２１は、係合部２２７に対応して、バッテリーベース２２が本体２１と結合した時、係合部２２７を受け入れる切欠きＮを有している。この場合、バッテリーベース２２が本体２１と結合した時、本体２１の切欠きＮに係合部２２７が受け入れられるので、係合部２２７をよりしっかりと本体２１に固定することができる。
【００３７】
以上、本考案の好適な実施例を例示したが、これは本考案を限定するものではなく、本考案の精神及び範囲を逸脱しない限りにおいては、当業者であれば行い得る少々の変更や修飾を付加することは可能である。従って、本考案が保護を請求する範囲は、実用新案登録請求の範囲を基準とする。
【図面の簡単な説明】
【００３８】
【図１】従来の電子装置の概略図である。
【図２】本考案の電子装置の外観をあらわした概略図である。
【図３】本考案の電子装置の内部構造をあらわした概略図である。
【図４Ａ】本考案のバッテリーベースの上面図である。
【図４Ｂ】本考案のバッテリーベースの底面図である。
【図５Ａ】バッテリーを共に組み込んだバッテリーベースの概略図である。
【図５Ｂ】バッテリーと共に組み立てられるバッテリーベースの概略図である。
【図５Ｃ】バッテリーと共に組み立てられるバッテリーベースの概略図である。
【図６】図２の電子装置の内部概略図である。
【符号の説明】
【００３９】
２０  電子装置
２１  本体
２１１  接続プレート
２２  バッテリーベース
２２１  第一アーム
２２２  第二アーム
２２３  キャップ
２２４  内表面
２２５  支持部
２２５Ａ  上支持部材
２２５Ｂ  下支持部材
２２６  操作部
２２７  係合部
２２８  弾性部材
Ｃ’  バッテリー（コインバッテリー）
Ｎ  切欠き
Ｔ  フック
【図１】
0003118013.tif 000003
【図２】
0003118013.tif 000004
【図３】
0003118013.tif 000005
【図４Ａ】
0003118013.tif 000006
【図４Ｂ】
0003118013.tif 000007
【図５Ａ】
0003118013.tif 000008
【図５Ｂ】
0003118013.tif 000009
【図５Ｃ】
0003118013.tif 000010
【図６】
0003118013.tif 000011